(57)【特許請求の範囲】
【請求項１】
廻り階段の廻り込み部の内側に設置した支持柱に設けられて、段板の内側端部を支持する段板支持構造であって、
前記支持柱の側面に沿って、内廻り側板と張出し受金具とからなる段板支持部材を取り付け、該段板支持部材によって前記段板の内側端部を位置決めしつつ支持することによって構成され、
前記内廻り側板は、前記段板及び蹴込み板を位置決めする階段状の位置決め段差部を挟んだ上方側の帯状厚板部と、下方側の切欠き薄板部とを含み、
前記張出し受金具は、段板部分の位置決め段差部からこれの下方に前記段板の厚さに相当する間隔をおいて前記切欠き薄板部に取り付けられて、前記帯状厚板部との間に前記段板の内側端部を挟み込むようにして当該内側端部を位置決め支持し、
前記帯状厚板部は、前記段板及び蹴込み板の前記支持柱への接合部に沿って帯板状に配置されて幅木を形成する廻り階段における段板支持構造。
【請求項２】
前記段板部分の位置決め段差部は、蹴込み板部分の位置決め段差部よりも前方に突出する臍部を備え、該臍部に前記段板の内側端部の先端部分が位置決め係止される請求項１に記載の廻り階段における段板支持構造。
【請求項３】
前記段板の上面に沿って配置される前記帯状厚板部は、５ｍｍ以下の幅で形成されることにより、５ｍｍ以下の高さの幅木が前記段板の上面に沿って設けられる請求項１又は２に記載の廻り階段における段板支持構造。
【請求項４】
前記支持柱の側面との間に壁下地材を介在させた状態で、前記支持柱の側面に沿って前記段板支持部材の内廻り側板が取り付けられる請求項１〜３のいずれかに記載の廻り階段における段板支持構造。
【請求項５】
請求項１〜４のいずれかに記載の廻り階段における段板支持構造において、前記廻り階段の廻り込み部の内側に設置した支持柱に取り付けて用いる内廻り側板であって、
前記段板及び蹴込み板を位置決めする階段状の位置決め段差部を挟んだ上方側の帯状厚板部と、下方側の切欠き薄板部とを含み、
前記位置決め段差部に沿って前記段板及び前記蹴込み板の内側端部が位置決めされると共に、  前記帯状厚板部は、前記段板及び蹴込み板の前記支持柱への接合部に沿って帯板状に配置されて幅木を形成する内廻り側板。
【発明の詳細な説明】
【技術分野】
【０００１】
本発明は、廻り階段の廻り込み部の内側に設置した支持柱に設けられて、段板の内側端部を支持する廻り階段における段板支持構造、及び該段板支持構造において用いる内廻り側板に関する。
【背景技術】
【０００２】
例えば木造住宅建築物において、手摺壁等の両側の壁体に挟まれる部分に複数の段板や蹴込み板を取り付けて階段を形成する場合には、上端面が階段状に形成された支持板（ササラ桁）を両側の壁体の側面に沿って取り付け、この支持板の上端面に段板の両端部を各々固定して支持させる段板支持構造が一般的に採用される。
【０００３】
一方、例えば木造住宅建築物の階段では、壁体の端部に設けられた支持柱を中心に例えば９０度或いは１８０度廻り込むようにして、段板を複数段配置してなる廻り階段が形成される場合がある。このような廻り階段によれば、廻り込み部の内側において幅の狭い段板の内側端部を幅の狭い支持柱の側面において支持することになるが、例えば支持柱の側面に差込み用の溝を形成して内側端部を差込み固定しても、支持長さが短く、十分な支持力で安定して段板を支持できない場合がある。このようなことから、十分な支持力を得るための種々の廻り階段における段板支持構造が開発されている（例えば、特許文献１、特許文献２、特許文献３参照）。
【０００４】
ここで、特許文献１のユニット階段は、段板の内側端部を支持固定する溝を形成した段板支持部材を支持柱の側面に沿って取り付け、この段板支持部材を介して段板の内側端部を支持柱に支持させるものである。また特許文献２の廻り階段の段板取付装置は、支持柱に溝を設けることなく段板の受け金具を取り付け、この受け金具を介して段板の内側端部を支持柱に支持させるものである。さらに、特許文献３の廻り階段構造は、上端面を階段状に形成した段板支持部材を支持柱の側面に沿って取り付けると共に、この段板支持部材から張り出すように突出させて段板の各高さ位置に受け金具を取り付け、段板支持部材及び受け金具によって、段板の内側端部を支持させるものである。
【特許文献１】特許第２５０６２０４号公報
【特許文献２】特許第３４０８９５９号公報
【特許文献３】特許第３３４８１６１号公報
【発明の開示】
【発明が解決しようとする課題】
【０００５】
上記各特許文献に記載の段板支持構造では、支持柱廻りの幅の狭い部分で段板の内側端部を安定して支持することが可能になる一方で、幅の狭い部分における段板の固定作業に手間がかかることから、より容易且つスムーズに施工できる段板の内側端部の支持構造の開発が望まれている。また、支持柱廻りの幅の狭い部分では、支持柱と段板や蹴込み板との接合部分に設けられる幅木の取り付け作業もまた、手間のかかる作業となることから、幅木の取り付けを容易にする支持構造の開発が望まれている。
【０００６】
本発明は、このような従来の課題に着目してなされたものであり、支持柱廻りの狭い部分において容易且つスムーズに施工することが可能で、段板の内側端部を安定して支持することができると共に、支持柱と段板や蹴込み板との接合部分に、手間のかかる作業を要することなく幅木を容易に取り付けることのできる廻り階段における段板支持構造、及び該階段段板支持構造において用いる内廻り側板を提供することを目的とする。
【課題を解決するための手段】
【０００７】
本発明は、廻り階段の廻り込み部の内側に設置した支持柱に設けられて、段板の内側端部を支持する段板支持構造であって、前記支持柱の側面に沿って、内廻り側板と張出し受金具とからなる段板支持部材を取り付け、該段板支持部材によって前記段板の内側端部を位置決めしつつ支持することによって構成され、前記内廻り側板は、前記段板及び蹴込み板を位置決めする階段状の位置決め段差部を挟んだ上方側の帯状厚板部と、下方側の切欠き薄板部とを含み、前記張出し受金具は、段板部分の位置決め段差部からこれの下方に前記段板の厚さに相当する間隔をおいて前記切欠き薄板部に取り付けられて、前記帯状厚板部との間に前記段板の内側端部を挟み込むようにして当該内側端部を位置決め支持し、前記帯状厚板部は、前記段板及び蹴込み板の前記支持柱への接合部に沿って帯板状に配置されて幅木を形成する廻り階段における段板支持構造を提供することにより、上記目的を達成したものである。
【０００８】
また、本発明の段板支持構造は、前記段板部分の位置決め段差部が、蹴込み板部分の位置決め段差部よりも前方に突出する臍部を備え、該臍部に前記段板の内側端部の先端部分が位置決め係止されるようにすることが好ましい。
【０００９】
さらに、本発明の段板支持構造は、前記段板の上面に沿って配置される前記帯状厚板部が、５ｍｍ以下の幅で形成されることにより、５ｍｍ以下の高さの幅木が前記段板の上面に沿って設けられることが好ましい。
【００１０】
さらにまた、本発明の段板支持構造は、前記支持柱の側面との間に壁下地材を介在させた状態で、前記支持柱の側面に沿って前記段板支持部材の内廻り側板を取り付けることもできる。
【００１１】
また、本発明は、上記いずれかに記載の廻り階段における段板支持構造において、前記廻り階段の廻り込み部の内側に設置した支持柱に取り付けて用いる内廻り側板であって、前記段板及び蹴込み板を位置決めする階段状の位置決め段差部を挟んだ上方側の帯状厚板部と、下方側の切欠き薄板部とを含み、前記位置決め段差部に沿って前記段板及び前記蹴込み板の内側端部が位置決めされると共に、前記帯状厚板部は、前記段板及び蹴込み板の前記支持柱への接合部に沿って帯板状に配置されて幅木を形成する内廻り側板を提供することにより、上記目的を達成したものである。
【発明の効果】
【００１２】
本発明の廻り階段における段板支持構造又は該段板支持構造において用いる内廻り側板によれば、支持柱廻りの狭い部分において容易且つスムーズに施工することが可能で、段板の内側端部を安定して支持することができると共に、支持柱と段板や蹴込み板との接合部分に、手間のかかる作業を要することなく幅木を容易に取り付けることができる。
【発明を実施するための最良の形態】
【００１３】
図１に示す本発明の好ましい一実施形態に係る廻り階段における段板支持構造１０は、例えば木造住宅建築物において、階段の周囲の壁体である階段仕切り壁の端部に設置した支持柱１１を中心として、１８０度廻り込むように設けられた廻り階段を構成する複数の段板１２ａ，１２ｂ，１２ｃの内側端部を、支持柱１１廻りの幅の狭い部分において、効率良く、且つ十分な支持力で安定して支持固定できるようにするために採用されたものである。
【００１４】
すなわち、本施形態の段板支持構造１０は、廻り階段の廻り込み部の内側に設置した支持柱１１に取り付けられて、段板１２ａ，１２ｂ，１２ｃの内側端部を支持する支持構造であって、支持柱１１の側面１１ａ，１１ｂに沿って、内廻り側板１４ａ，１４ｂと張出し受金具１５とからなる段板支持部材１３ａ，１３ｂを取り付け、この段板支持部材１３ａ，１３ｂによって段板１２ａ，１２ｂ，１２ｃの内側端部を位置決めしつつ支持することにより構成される。また内廻り側板１４ａ，１４ｂは、段板１２ａ，１２ｂ，１２ｃ及び蹴込み板１６ａ，１６ｂ，１６ｃを位置決めする階段状の位置決め段差部１７ａ，１７ｂを挟んだ上方側の帯状厚板部１８ａ，１８ｂと、下方側の切欠き薄板部１９ａ，１９ｂとを含み、張出し受金具１５は、段板部分の位置決め段差部１７ａ，１７ｂからこれの下方に段板１２ｂ，１２ｃの厚さに相当する間隔をおいて切欠き薄板部１９ａ，１９ｂに取り付けられて、帯状厚板部１８ａ，１８ｂとの間に段板１２ｂ，１２ｃの内側端部を挟み込むようにして当該内側端部を位置決め支持し、帯状厚板部１８ａ，１８ｂは、段板１２ａ，１２ｂ，１２ｃ及び蹴込み板１６ａ，１６ｂ，１６ｃの支持柱１１への接合部に沿って帯板状に配置されて幅木２０を形成するようになっている。
【００１５】
また、本実施形態では、段板部分の位置決め段差部１８ａ，１８ｂは、蹴込み板部分の位置決め段差部１８ａ，１８ｂよりも前方に突出する臍部２１を備えており、この臍部２１に段板１２ａ，１２ｂ，１２ｃの内側端部の先端部分が位置決め係止されるようになっている。
【００１６】
本実施形態では、廻り階段の廻り込み部の内側に配置されて、廻り込み部の中心となる支持柱１１は、一辺が例えば６０〜１５０ｍｍ程度の正方形の角形断面形状を備える木製角材であって、階段仕切り壁の骨組み部材として階段仕切り壁の端部に鉛直に立設して配置される。支持柱１１には、隣接する一対の側面１１ａ，１１ｂに沿って、第１段板支持部材１３ａの第１内廻り側板１４ａと第２段板支持部材１３ｂの第２内廻り側板１４ｂとが各々取り付けられる。
【００１７】
第１内廻り側板１４ａは、階段仕切り壁の先端面となる支持柱１１の一側面１１ａに沿って取り付けられる側板であって、図２（ａ），（ｂ）にも示すように、段板１２ａ，１２ｂ，１２ｃ及び蹴込み板１６ａ，１６ｂを位置決めする階段状の位置決め段差部１７ａを挟んだ上方側の帯状厚板部１８ａと、下方側の切欠き薄板部１９ａとからなる。第１内廻り側板１４ａの位置決め段差部１７ａに沿って、段板１２ａ，１２ｂ，１２ｃ及び蹴込み板１６ａ，１６ｂの内側端部が、これの縁部を切欠き薄板部１９ａ側から帯状厚板部１８ａ側に向かって押し付けることにより、当該位置決め段差部１７ａをガイドとしてスムーズに位置決めされることになる。そして、帯状厚板部１８ａは、段板１２ａ，１２ｂ，１２ｃ及び蹴込み板１６ａ，１６ｂの支持柱１１への接合部に沿って、当該接合部の外側に帯板状に配置されて幅木２０を形成することになる。
【００１８】
また、第１内廻り側板１４ａは、帯状厚板部１８ａの厚さが例えば１０〜４０ｍｍ程度の厚板部材からなり、これの上端は、支持柱１１の一側面１１ａに沿って取り付けられる段板１２ａ，１２ｂ，１２ｃの段数に応じて階段状に切断した形状を有している。第１内廻り側板１４ａは、位置決め段差部１７ａを挟んだこれの下方部分を、切欠き薄板部１９ａとして厚さが例えば４〜３０ｍｍ程度となるように切り欠くことによって、廻り階段の下方裏側に覆い隠される切欠き薄板部１９ａと、廻り階段の上方表側に表出して幅木２０となる帯状厚板部１８ａとに区画されることになる。位置決め段差部１７ａは、段板１２ａ，１２ｂ，１２ｃの内側端部及び蹴込み板１６ａ，１６ｂの内側端部の支持柱１１への取り付け位置における、これらの表側輪郭形状に沿った形状を備えている。段板１２ａ，１２ｂ，１２ｃや蹴込み板１６ａ，１６ｂの内側端部の側端面を切欠き薄板部１９ａに対向させて沿わせるようにしつつ、これらの内側端部の縁部を廻り階段の下方裏側から位置決め段差部１７ａに当接させることにより、これらの内側端部を容易且つ精度良く支持柱１１の一側面１１ａに位置決めすることができるようになっている。
【００１９】
本実施形態では、第２内廻り側板１４ｂは、図１に示すように、上記支持柱１１の一側面１１ａの下階側に隣接する隣接側面１１ｂに沿って取り付けられる側板であって、段板１２ｃ及び蹴込み板１６ｃを位置決めする階段状の位置決め段差部１７ｂを挟んだ上方側の帯状厚板部１８ｂと、下方側の切欠き薄板部１９ｂとからなる。第２内廻り側板１４ｂの位置決め段差部１７ｂに沿って、段板１２ｃ及び蹴込み板１６ｃの内側端部の縁部が、切欠き薄板部１９ｂ側から帯状厚板部１８ｂ側に向かって押し付けられることにより、これらの内側端部が位置決めされることになる。そして、帯状厚板部１９ｂは、段板１２ｃ及び蹴込み板１６ｃの支持柱１１への接合部に沿って、当該接合部の外側に帯板状に配置されて第１内廻り側板１４ａの帯状厚板部１８ａと連設し、幅木２０を形成することになる。
【００２０】
また、第２内廻り側板１４ｂは、第１内廻り側板１４ａと同様に、位置決め段差部１７ｂを挟んだ廻り階段の上方表側に配置される、厚さが例えば１０〜４０ｍｍ程度の帯状厚板部１８ｂと、位置決め段差部１８ｂを挟んだ廻り階段の下方裏側に配置される、厚さが例えば４〜３０ｍｍ程度の切欠き薄板部１９ｂとに区画されることになる。
【００２１】
段板部分の位置決め段差部１７ａ，１７ｂの下方に段板１２ａ，１２ｂ，１２ｃの厚さに相当する間隔をおいて取り付けられる張出し受金具１５としては、例えば直角Ｌ字形状に折り曲げられたＬ形鋼材１５ａと、補強斜材１５ｂとからなるブラケット部材を用いることができる。例えばＬ形鋼材１５ａの一方の辺部を段板１２ａ，１２ｂ，１２ｃの下面に沿った所定の高さに張り出すようにして配置した状態で、他方の辺部を内廻り側板１４ａ，１４ｂの切欠き薄板部１９ａ，１９ｂに密着させ、側方から切欠き薄板部１９ａ，１９ｂ及び支持柱１１に向けてビス等を打ち込むことにより、張出し受金具１５が内廻り側板１４ａ，１４ｂに強固に固定されることになる。またＬ形鋼材１５ａの一方の辺部と位置決め段差部１７ａ，１７ｂにおける帯状厚板部１８ａ，１８ｂとの間に段板１２ａ，１２ｂ，１２ｃの内側端部を挟み込んだ状態で、一方の辺部を貫通させて下方から段板１２ａ，１２ｂ，１２ｃに向けてビス等を打ち込むことにより、段板１２ａ，１２ｂ，１２ｃが支持柱１１に強固に位置決め固定されることになる。
【００２２】
上述の構成を備える本実施形態の段板支持構造１０では、段板１２ａ，１２ｂ，１２ｃを廻り階段の廻り込み部に設置するのに先立って、支持柱１１の一側面１１ａ及び隣接側面１１ｂに沿って、段板１２ａ，１２ｂ，１２ｃの高さ位置に応じた所定の高さ位置に、第１内廻り側板１４ａ及び第２内廻り側板１４ｂを取り付ける。第１内廻り側板１４ａ及び第２内廻り側板１４ｂを取り付けたら、これらの位置決め段差部１７ａ，１７ｂをガイドとして、段板１２ａ，１２ｂ，１２ｃの内側端部を位置決めし、さらに位置決め段差部１７ａ，１７ｂの帯状厚板部１８ａ，１８ｂとの間に段板１２ａ，１２ｂ，１２ｃの内側端部を挟み込むようにして、下方から張出し受金具１５を取り付けることにより、段板１２ａ，１２ｂ，１２ｃの内側端部を段板支持部材１３ａ，１３ｂを介して支持柱１１に強固に支持固定させることが可能になる。
【００２３】
なお、廻り階段の廻り込み部における段板１２ａ，１２ｂ，１２ｃを挟んだ支持柱１１とは反対側の外側の壁体の壁面には、例えば上端面が階段状に形成されたササラ桁を取り付けて、段板１２ａ，１２ｂ，１２ｃの外側端部を従来と同様の支持構造によって支持固定することができる。また、外側の壁体の壁面に沿って、内廻り側板１４ａ，１４ｂと同様の構成を備える、段板１２ａ，１２ｂ，１２ｃの外側端部及び蹴込み板１６ａ，１６ｂ，１６ｃの外側端部の表側輪郭形状に沿った形状の位置決め段差部を挟んだ上方側の帯状厚板部と、下方側の切欠き薄板部とからなる、外廻り側板を設置し、支持柱１１に設置した段板支持部材１３ａ，１３ｂと同様に、切欠き薄板部に取り付けた張出し受金具と位置決め段差部の帯状厚板部との間に段板１２ａ，１２ｂ，１２ｃの外側端部を挟み込むようにして、当該外側端部を支持固定することもできる。
【００２４】
さらに、廻り階段の廻り込み部の上階側及び下階側の直線階段部は、従来と同様に、壁体の壁面に例えばササラ桁を取り付けて段板の両端部分を支持する支持構造の他、廻り階段の外側と同様に、直線階段部を挟んだ両側の壁体の壁面に、段板の外側端部及び蹴込み板の外側端部の表側輪郭形状に沿った形状の位置決め段差部を挟んだ上方側の帯状厚板部と、下方側の切欠き薄板部とからなる直線部側板を設置し、切欠き薄板部に取り付けた張出し受金具と位置決め段差部の帯状厚板部との間に段板の両端部を挟み込むようにして、段板を支持固定することもできる。このような直線階段部の構成では、特に下階側一段目の蹴込み板を、両側の切欠き薄板部を介して階段の裏側から帯状厚板部側に向かって両端部を押し付けることにより、当該位置決め段差部１７ａをガイドとしてスムーズに位置決めすることが可能になり、段板や蹴込み板の取付け作業が容易になると共に、一段目の蹴込み板を側板及び段板の取付け後に取付けることを可能にして、施工手順の自由度を増すことが可能になる。
【００２５】
そして、上述の構成を備える本実施形態の段板支持構造１０によれば、支持柱１１廻りの狭い部分において容易且つスムーズに施工することが可能で、段板１２ａ，１２ｂ，１２ｃの内側端部を安定して支持することができると共に、支持柱１１と段板１２ａ，１２ｂ，１２ｃや蹴込み板１６ａ，１６ｂ，１６ｃとの接合部分に、手間のかかる作業を要することなく幅木２０を容易に取り付けることができる。
【００２６】
すなわち、本実施形態によれば、支持柱１１に先行して取り付けた内廻り側板１４ａ，１４ｂの位置決め段差部１７ａ，１７ｂをガイドとして、段板１２ａ，１２ｂ，１２ｃの内側端部を廻り階段の下方から精度良く位置決めすることができると共に、位置決め段差部１７ａ，１７ｂよりも下方部分の切欠き薄板部１９ａ，１９ｂを介して、段板１２ａ，１２ｂ，１２ｃを所定の位置にスムーズに挿入配置することが可能になる。また、位置決めされた段板１２ａ，１２ｂ，１２ｃの下面にＬ形鋼材１５ａの一方の辺部を押し付けるようにして、張出し受金具１５を内廻り側板１４ａ，１４ｂに取り付けることにより、段板１２ａ，１２ｂ，１２ｃの内側端部を容易且つ強固に支持固定することが可能になる。さらに、支持柱１１への取り付け前に予め加工製作することが可能な内廻り側板１４ａ，１４ｂの帯状厚板部１８ａ，１８ｂをそのまま幅木２０として利用することができるので、段板１２ａ，１２ｂ，１２ｃや蹴込み板１６ａ，１６ｂ，１６ｃの設置後に、施工現場で幅の狭い支持柱１１との接合部分に幅木を設ける場合と比較して、容易に幅木２０を取り付けることが可能になる。
【００２７】
また、本実施形態によれば、段板部分の位置決め段差部１７ａ，１７ｂは、蹴込み板部分の位置決め段差部１７ａ，１７ｂよりも前方に突出する臍部２１を備えているので、この臍部２１に段板１２ａ，１２ｂ，１２ｃの内側端部の先端部分を挿入して位置決め係止することにより、張出し受金具１５と相俟ってさらに強固且つ安定した状態で段板１２ａ，１２ｂ，１２ｃの内側端部を支持固定することが可能になる。
【００２８】
さらに、本実施形態によれば、内廻り側板１４ａ，１４ｂは、段板１２ａ，１２ｂ，１２ｃや蹴込み板１６ａ，１６ｂ，１６ｃによって覆い隠されることになる、廻り階段の裏側部分に配置される切欠き薄板部１９ａ，１９ｂにおいて支持柱１１に向けてビス等を打ち込むことにより、支持柱１１の側面１１ａ，１１ｂに取り付けられることになるが、切欠き薄板部１９ａ，１９ｂの厚さが薄くなっていることにより、短いビス等でも容易且つ確実に固定することが可能になり、コストの低減と施工性の向上を図ることが可能になる。さらにまた、張出し受金具１５のＬ形鋼材１５ａの一方の辺部の下方から段板１２ａ，１２ｂ，１２ｃに向けてビス等を打ち込むことにより、段板１２ａ，１２ｂ，１２ｃを位置決め固定することができるので、必要本数のビス等を制限無く打ち込むことにより、ビス等の保持力が比較的小さい例えば合板等からなる段板１２ａ，１２ｂ，１２ｃの場合であっても、これらを確実に固定することが可能になる。
【００２９】
図３は、上記本実施形態の廻り階段における段板支持構造１０を、上記支持柱１１の一側面１１ａの上階側に隣接する上階側隣接側面１１ｃの側から見たものであって、この上階側隣接側面１１ｃには、第３内廻り側板１４ｃと張出し受金具１５とからなる第３段板支持部材１３ｃが取り付けられている。そして、段板１２ａの内側端部は、第１段板支持部材１３ａと第３段板支持部材１３ｃとを介して支持柱１１に支持固定され、段板１２ａのさらに上段に配置される段板１２ｄの内側端部は、第３段板支持部材１３ｃを介して上記支持柱１１に支持固定されるようになっている。
【００３０】
このように、本発明の廻り階段における段板支持構造は、廻り階段の廻り角度等に応じて、支持柱１１の必要な面に、内廻り側板１４ａ．１４ｂ，１４ｃと張出し受金具１５とからなる段板支持部材１３ａ，１３ｂ，１３ｃを適宜取り付けて、段板１２ａ，１２ｂ，１２ｃ，１２ｄを効率良く支持固定することが可能になると共に、１８０度や９０度の廻り階段のみならず、これらの中間の廻り角度の廻り階段にも容易に対応する可能になる。
【００３１】
なお、本発明は上記実施形態に限定されることなく種々の変更が可能である。例えば、内廻り側板に設けられる位置決め段差部の段数等は、階段や段板の形状等に応じて適宜設計することが可能であり、また、張出し受金具は、Ｌ形鋼材と補強斜材とからなるものの他、例えば山形鋼や溝形鋼等を所望の長さに切断して用いることもできる。
【００３２】
さらに、内廻り側板や外廻り側板は、予め工場等において精度良く加工製作することができるので、例えば図４に示すように、段板部分の帯状厚板部４０を、例えば５ｍｍ以下の小さな幅で容易に形成することが可能である。これによって、内側端部及び外側端部の段板の上面に沿って設けられる幅木の高さを、階段の有効幅を換算する際に考慮されない例えば５ｍｍ以下の低い高さ留めることが可能になるので、階段の有効幅を広く取って効率良く階段を形成することが可能になる。
【００３３】
さらにまた、段板支持部材の内廻り側板は、支持柱の側面に沿って直接取り付けられる場合の他、図５に示すように、支持柱５０の側面との間に壁下地材５１を介在させた状態で、支持柱５０の側面に沿って段板支持部材の内廻り側板５２が取り付けられ、段板支持部材が壁下地材５１を介して支持柱５０に支持される場合にも、本発明を適用することが可能である。
【００３４】
図６（ａ）〜（ｇ）は、本発明に用いる内廻り側板の好ましい一実施態様を示すものである。図６（ａ）〜（ｇ）の内廻り側板は、本発明の廻り階段における段板支持構造において、その機能を効果的に発揮すると共に、その斬新な形状によって、特有の美観を生じさせている。
【図面の簡単な説明】
【００３５】
【図１】本発明の好ましい一実施形態に係る段板支持構造の構成を説明する略示斜視図である。
【図２】（ａ）は、本発明の好ましい一実施形態に係る段板支持構造において用いる内廻り側板を例示するの正面図、（ｂ）は（ａ）のＡ−Ａに沿った断面図である。
【図３】本発明の好ましい一実施形態に係る段板支持構造を、図１とは別の方向から見た略示斜視図である。
【図４】内廻り側板や外廻り側板の他の形態を例示する正面図である。
【図５】内廻り側板の支持柱への他の取り付け状態を説明する略示断面図である。
【図６】内廻り側板の好ましい一実施態様を示す（ａ）は正面図、（ｂ）は左側面図、（ｃ）は右側面図、（ｄ）は背面図、（ｅ）は平面図、（ｆ）は底面図、（ｇ）Ｂ−Ｂ線断面図である。
【符号の説明】
【００３６】
１０  段板支持構造
１１，５０  支持柱
１１ａ  支持柱の一側面
１１ｂ  支持柱の隣接側面
１２ａ，１２ｂ，１２ｃ，１２ｄ  段板
１３ａ，１３ｂ，１３ｃ  段板支持部材
１４ａ，１４ｂ，１４ｃ，５２  内廻り側板
１５  張出し受金具
１６ａ，１６ｂ，１６ｃ  蹴込み板
１７ａ，１７ｂ  位置決め段差部
１８ａ，１８ｂ，４０  帯状厚板部
１９ａ，１９ｂ  切欠き薄板部
２０  幅木
２１  臍部
５１  壁下地材
【図１】
0004799193.tif 000002
【図２】
0004799193.tif 000003
【図３】
0004799193.tif 000004
【図４】
0004799193.tif 000005
【図５】
0004799193.tif 000006
【図６】
0004799193.tif 000007